(57)【要約】【課題】ユーザーが所望する編集領域を容易に決定することができる画像処理装置及び画像処理方法を提供する。【解決手段】本発明に係る画像処理装置は、画像データに対して画像処理を施す画像処理装置であって、第１決定部と、第２決定部とを備える。前記画データは、少なくとも１つの文字画像を含む文字列画像と、少なくとも１つのマーキング画像とを含む編集対象画像を示す。前記第１決定部は、予め規定された複数の領域パターンの中から一の領域パターンを決定する。前記第２決定部は、マーキング画像と、決定された領域パターンとに基づいて、文字列画像のうちの少なくとも一部の領域を、画像処理を施す編集領域として決定する。【選択図】図２
2019208102.tif 000002
【特許請求の範囲】
【請求項１】
画像データに対して画像処理を施す画像処理装置であって、
前記画像データは、少なくとも１つの文字画像を含む文字列画像と、少なくとも１つのマーキング画像とを含む編集対象画像を示し、
前記画像形成装置は、
複数の領域パターンの中から一の領域パターンを決定する第１決定部と、
前記マーキング画像と、決定された前記領域パターンとに基づいて、前記文字列画像のうちの少なくとも一部の領域を、前記画像処理を施す編集領域として決定する第２決定部と
を備える、画像処理装置。
【請求項２】
前記複数の領域パターンを提示する提示部と、
前記複数の領域パターンのうち、一の領域パターンの選択を受け付ける受付部とをさらに備え、
前記第１決定部は、選択された前記領域パターンに基づいて、前記複数の領域パターンの中から一の領域パターンを決定する、請求項１に記載の画像処理装置。
【請求項３】
前記マーキング画像に含まれるマーキングを識別する識別部をさらに備え、
前記第１決定部は、識別された前記マーキングに基づいて、前記複数の領域パターンの中から一の領域パターンを決定する、請求項１に記載の画像処理装置。
【請求項４】
前記マーキング画像に含まれるマーキングは、複数種類の括弧のうちの一つを示し、
前記識別部は、前記マーキングが示す括弧の種類を識別し、
前記第１決定部は、識別された前記括弧の種類に基づいて、前記複数の領域パターンの中から一の領域パターンを決定する、請求項３に記載の画像処理装置。
【請求項５】
前記マーキング画像に含まれるマーキングは、複数種類の色のうちの一つを示し、
前記識別部は、前記マーキングが示す色を識別し、
前記第１決定部は、識別された前記色に基づいて、前記複数の領域パターンの中から一の領域パターンを決定する、請求項３に記載の画像処理装置。
【請求項６】
前記マーキング画像に含まれるマーキングは、複数種類の線幅のうちの一つを示し、
前記識別部は、前記マーキングが示す線幅の種類を識別し、
前記第１決定部は、識別された前記線幅の種類に基づいて、前記複数の領域パターンの中から一の領域パターンを決定する、請求項３に記載の画像処理装置。
【請求項７】
前記マーキング画像に含まれるマーキングは、複数種類の始端の態様のうちの一つを示し、
前記識別部は、前記マーキングが示す始端の態様の種類を識別し、
前記第１決定部は、識別された前記始端の態様の種類に基づいて、前記複数の領域パターンの中から一の領域パターンを決定する、請求項３に記載の画像処理装置。
【請求項８】
前記第２決定部は、前記マーキング画像と、決定された前記領域パターンとに基づいて、排除領域を決定し、前記文字列画像の領域から前記排除領域を除いた領域を前記編集領域として決定する、請求項１〜７の何れか１項に記載の画像処理装置。
【請求項９】
前記文字画像と前記マーキング画像との重複度合いを示す重複度を算出する算出部をさらに備え、
前記第２決定部は、算出された前記重複度に基づいて、前記編集領域を拡縮させる、請求項１〜８の何れか１項に記載の画像処理装置。
【請求項１０】
前記複数の領域パターンは、全ての前記マーキング画像に対して外接する矩形によって規定される外接矩形領域パターンと、前記マーキング画像によって規定される精度優先領域パターンとを含む、請求項１〜９の何れか１項に記載の画像処理装置。
【請求項１１】
画像データに対して画像処理を施す画像処理方法であって、
前記画像データは、少なくとも１つの文字画像を含む文字列画像と、少なくとも１つのマーキング画像とを含む編集対象画像を示し、
前記画像処理方法は、
複数の領域パターンの中から一の領域パターンを決定する第１ステップと、
前記マーキング画像と、決定された前記領域パターンとに基づいて、前記文字列画像のうちの少なくとも一部の領域を、前記画像処理を施す編集領域として決定する第２ステップと
を含む、画像処理方法。
【発明の詳細な説明】
【技術分野】
【０００１】
本発明は、画像処理装置及び画像処理方法に関する。
【背景技術】
【０００２】
原稿の文字領域にマーキングを施し、このマーキングによって決定された領域（マーカー領域）に対して、ＯＣＲ処理などの画像処理を行う技術が提案されている。また、マーカー領域に基づいて、画像処理の対象となる領域（編集領域）として、外接矩形領域を用いる技術も提案されている（例えば、特許文献１）。
【先行技術文献】
【特許文献】
【０００３】
【特許文献１】特開２００１−２３０９１９号公報
【発明の概要】
【発明が解決しようとする課題】
【０００４】
しかしながら、従来技術では、決定された編集領域が、ユーザーが所望する編集領域と一致しない場合があった。この場合、容易に編集領域を変更することができなかった。原稿にマーキングを施す作業からやり直すことも考えられるが、煩雑である。
【０００５】
本発明は上記課題に鑑みてなされたものであり、その目的はユーザーが所望する編集領域を容易に決定することができる画像処理装置及び画像処理方法を提供することにある。
【課題を解決するための手段】
【０００６】
本発明に係る画像処理装置は、画像データに対して画像処理を施す画像処理装置であって、第１決定部と、第２決定部とを備える。前記画像データは、少なくとも１つの文字画像を含む文字列画像と、少なくとも１つのマーキング画像とを含む編集対象画像を示す。前記第１決定部は、複数の領域パターンの中から一の領域パターンを決定する。前記第２決定部は、マーキング画像と、決定された領域パターンとに基づいて、文字列画像のうちの少なくとも一部の領域を、画像処理を施す編集領域として決定する。
【０００７】
本発明に係る画像処理方法は、画像データに対して画像処理を施す画像処理方法であって、第１ステップと、第２ステップを含む。前記画像データは、少なくとも１つの文字画像を含む文字列画像と、少なくとも１つのマーキング画像とを含む編集対象画像を示す。前記第１ステップでは、複数の領域パターンの中から一の領域パターンを決定する。前記第２ステップでは、マーキング画像と、決定された領域パターンとに基づいて、文字列画像のうちの少なくとも一部の領域を、画像処理を施す編集領域として決定する。
【発明の効果】
【０００８】
本発明によれば、ユーザーが所望する編集領域を容易に決定することができる。
【図面の簡単な説明】
【０００９】
【図１】本発明の実施形態に係る画像処理装置の一例を示す模式図である。
【図２】制御部の一例を示すブロック図である。
【図３】マーキングの態様と複数の領域パターンとの対応関係を模式的に示す第１例である。
【図４】マーキングの態様と複数の領域パターンとの対応関係を模式的に示す第２例である。
【図５】マーキングの態様と複数の領域パターンとの対応関係を模式的に示す第３例である。
【図６】第１実施形態に係る領域パターン設定画面の一例を示す図である。
【図７】第１実施形態に係る編集領域決定画面の一例を示す図である。
【図８】第１実施形態に係る編集領域決定処理のフローチャートである。
【図９】第２実施形態に係る編集領域決定画面の一例を示す図である。
【図１０】第２実施形態に係る編集領域決定処理のフローチャートである。
【発明を実施するための形態】
【００１０】
以下、本発明の実施形態について、図面を参照しながら説明する。なお、図中、同一又は相当部分については同一の参照符号を付して説明を繰り返さない。
【００１１】
（第１実施形態）
図１を参照して本発明に係る画像処理装置１００の実施形態を説明する。図１は、本発明の実施形態に係る画像処理装置１００を示す模式図である。画像処理装置１００は、例えば、複写機、プリンター、複合機、スマートフォン、又はタブレット端末等である。以下では、一例として、画像処理装置１００がプリンター機能とスキャナー機能とを有するカラー複合機である場合について説明する。また、本発明は、読み込んだデータや、電子データにマーキングされているものの何れにも対応できる。タブレット上で電子マーキングしたものも適応範囲内である。
【００１２】
図１に示すように、画像処理装置１００は、画像読取部１０と、画像形成部２０と、制御部３０と、記憶部４０と、通信部５０と、原稿台１２と、原稿搬送装置１１０と、操作パネル１２０と、給紙カセット１３０と、用紙搬送部１４０と、用紙排出部１７０とを備える。
【００１３】
画像読取部１０は、原稿Ｍに形成された画像を読み取り、編集対象画像を取得する。詳しくは、画像読取部１０は、原稿搬送装置１１０によって搬送された原稿Ｍに形成された画像、又は、原稿台１２に載置された原稿Ｍに形成された画像を読み取り、カラー又はモノクロの編集対象画像を取得する。
【００１４】
画像形成部２０は、画像読取部１０によって読み取られた編集対象画像に基づいて記録媒体Ｐに画像を形成する。記録媒体Ｐは、例えば用紙である。
【００１５】
制御部３０は、ＣＰＵ（Ｃｅｎｔｒａｌ  Ｐｒｏｃｅｓｓｉｎｇ  Ｕｎｉｔ）のようなプロセッサー、及びＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等によって構成されるハードウェア回路である。制御部３０は、編集対象画像の中に、画像処理の対象となる領域である編集領域を決定する。制御部３０は、記憶部４０に記憶された制御プログラムをプロセッサーが読み出して実行することによって、画像処理装置１００の各部の動作を制御する。
【００１６】
制御部３０は、ＯＣＲ（Ｏｐｔｉｃａｌ  Ｃｈａｒａｃｔｅｒ  Ｒｅｃｏｇｎｉｔｉｏｎ）機能を有する。ＯＣＲ機能は、原稿Ｍに含まれる文字（例えば、平仮名、カタカナ、アルファベッド、漢字、数字、記号）を光学的に認識し、文字を文字コードに変換する機能である。
【００１７】
記憶部４０は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、及び／又はソリッドステートドライブ（Ｓｏｌｉｄ  Ｓｔａｔｅ  Ｄｒｉｖｅ：ＳＳＤ）によって構成される。記憶部４０は、外部メモリーを含んでいてもよい。外部メモリーは、リムーバブルメディアである。記憶部４０は、外部メモリーとして、例えば、ＵＳＢ（Ｕｎｉｖｅｒｓａｌ  Ｓｅｒｉａｌ  Ｂｕｓ）メモリー、及びＳＤ（Ｓｅｃｕｒｅ  Ｄｉｇｉｔａｌ）カードを含む。記憶部４０は、各種のデータ、及び、画像処理装置１００の各部の動作を制御するための制御プログラムを記憶する。制御プログラムは、制御部３０によって実行される。
【００１８】
通信部５０は、同じ通信方式（プロトコル）を利用する通信機が搭載された電子機器との間で通信が可能である。本実施形態において、通信部５０は、ＬＡＮ（Ｌｏｃａｌ  Ａｒｅａ  Ｎｅｔｗｏｒｋ）などのネットワーク網を介して外部の情報処理装置（以下、「外部装置」という。）と通信する。さらに、通信部５０は、ネットワーク網を介して、外部装置から編集対象画像を示す画像データを受信してもよい。通信部５０は、例えば、ＬＡＮボードのような通信モジュール（通信機器）である。
【００１９】
操作パネル１２０は、画像処理装置１００を操作するユーザーから各種の指示を受け付ける。操作パネル１２０は、表示部１２２を有する。表示部１２２は、ユーザーに提示する各種の情報を表示する。例えば、表示部１２２は、領域パターン設定画面を表示する。領域パターン設定画面では、複数の領域パターンの中から一の領域パターンを決定するための条件をユーザーから受け付ける。さらに、表示部１２２は、確集領域決定画面を表示する。編集領域決定画面は、決定された領域パターンに基づいて決定された編集領域の決定の可否をユーザーに確認する画面である。操作パネル１２０は、提示部及び受付部の一例である。
【００２０】
給紙カセット１３０は、印刷用の記録媒体Ｐを収容する。印刷を行う際、給紙カセット１３０内の記録媒体Ｐは、画像形成部２０を経由して用紙排出部１７０から排出されるように、用紙搬送部１４０によって搬送される。
【００２１】
画像処理装置１００は、編集対象画像の編集領域に対して画像処理を施す。「編集領域」とは、編集対象画像に含まれる文字又は文字列について、画像処理の対象を示す領域をいう。編集対象画像は、少なくとも１つの文字画像を含む文字列画像と、少なくとも１つのマーキング画像とを有する。編集対象画像は、例えば、画像読取部１０によって原稿Ｍに形成された画像を読み取った画像である。原稿Ｍには、ユーザーによって、文字に対するマーキングが施されている。ユーザーは、筆記具（例えば、イエロー又はピンクの蛍光ペン）を用いて、原稿Ｍの文字又は文字列にマーキングを施す。以下、文字又は文字列を「文字等」という。なお、文字等に記号を含んでもよい。
【００２２】
なお、編集対象画像は、通信部５０を介して外部装置から受信した画像でもよい。また、編集対象画像は、ユーザーによってソフトを使用してデータ上で文字に対してマーキングされている画像でもよい。本実施形態では、画像処理装置１００は、編集対象画像中に決定された編集領域内の文字等に対して、画像処理を施す。
【００２３】
図１及び図２を参照して、制御部３０の編集領域を決定する編集領域決定処理について説明する。図２は、制御部３０の一例を示すブロック図である。
【００２４】
図２に示すように、制御部３０は、識別部３１と、領域パターン決定部３２と、編集領域決定部３３と、算出部３４と、画像処理部３５とを有する。
【００２５】
識別部３１は、マーキング画像に含まれるマーキングを識別する。例えば、マーキング画像に含まれるマーキングが、複数種類の括弧と、複数種類の色と、複数種類の線幅と、複数種類の始端の態様とのうちの１つを示す場合がある。このような場合、識別部３１は、マーキング画像に含まれるマーキングの括弧の種類と、マーキングの色と、マーキングの線幅と、マーキングの始端の態様とを識別する。
【００２６】
領域パターン決定部３２は、複数の領域パターンの中から一の領域パターンを決定する。具体的には、領域パターン決定部３２は、識別部３１において識別されたマーキングの括弧の種類と、マーキングの色と、マーキングの線幅と、マーキングの始端の態様とのうちの少なくとも１つに基づいて、複数の領域パターンの中から一の領域パターンを決定する。
【００２７】
なお、予め初期設定で１のマーキングに対する１の領域パターンが決定されている場合に、領域パターン設定画面等において、初期設定で決定された領域パターンからユーザーが指定する領域パターンに切り替えてもよい。領域パターン決定部３２は、第１決定部の一例である。
【００２８】
編集領域決定部３３は、編集対象画像に含まれるマーキング画像と、領域パターン決定部３２で決定された領域パターンとに基づいて、文字列画像のうちの少なくとも一部の領域を編集領域として決定する。編集領域内の文字等には、画像処理が施される。
【００２９】
編集領域決定部３３は、マーキング画像と、決定された領域パターンとに基づいて、排除領域を決定してもよい。そして、編集領域決定部３３は、文字列画像の領域から排除領域を除いた領域を編集領域として決定してもよい。編集領域決定部３３は、第２決定部の一例である。
【００３０】
算出部３４は、重複度を算出する。ここで、「重複度」とは、文字画像とマーキング画像との重複の程度（重複度合い）を示す。例えば、１文字の文字画像の全体とマーキング画像とが重複している場合、重複度は「１」になる。１文字の文字画像の半分とマーキング画像とが重複している場合、重複度は「０．５」になる。４文字の文字画像と、４文字のうちの１文字のマーキング画像とが重複している場合、重複度は「０．２５」になる。ｎ文字の文字画像と、ｎ文字のうちのｍ文字のマーキング画像とが重複している場合、重複度は「ｍ／ｎ」になる。複数の文字列の文字列画像とマーキング画像とが重複している場合についても、同様に重複度を算出することができる。
【００３１】
画像処理部３５は、編集領域内の文字等に対して画像処理を施す。画像処理は、例えば、文字消去、アンダーラインの付加、枠の付加及び白黒反転表示である。
【００３２】
なお、編集領域決定部３３は、算出部３４で算出された重複度に基づいて、編集領域を拡縮させてもよい。例えば、複数の文字列にマーキングが施されている場合であれば、１つの文字列画像に対するマーキング画像の重複度が算出される。重複度が、予め規定した閾値を超えた場合に、その文字列画像を含むように編集領域を拡大するように変更してもよい。また、１つの文字列画像に対するマーキング画像の重複度が予め規定した閾値を下回った場合に、その文字列画像を含まないように編集領域を縮小するように変更してもよい。
【００３３】
また、複数の領域パターンには、全てのマーキング画像に対して外接する矩形によって規定される外接矩形領域パターンと、マーキング画像によって規定される精度優先領域パターンとを含んでもよい。外接矩形領域パターンと精度優先領域パターンとについては、図３及び図４を参照して後述する。
【００３４】
次に、図３〜図５を参照しながら、領域パターン決定部３２の処理内容について説明する。
【００３５】
図３は、マーキングの態様と複数の領域パターンとの対応関係を模式的に示す第１例である。
【００３６】
図３は、マーキングの態様３０１と、文字列３０２と、マーキング３０２ａと、外接矩形領域パターン３０３と、外接矩形領域パターン３０３に対応する編集領域３０４と、精度優先領域パターン３０５と、精度優先領域パターン３０５に対応する編集領域３０６とを示す。マーキング３０２ａの色には、例えば、イエローとピンクとがある。文字列３０２にＺ字状にイエローのマーキング３０２ａが施された場合は、外接矩形領域パターン３０３が決定される。文字列３０２にピンクのマーキング３０２ａが施された場合は、精度優先領域パターン３０５が決定される。
【００３７】
図４は、マーキングの態様と複数の領域パターンとの対応関係を模式的に示す第２例である。
【００３８】
図４は、マーキングの態様４０１と、文字列４０２と、マーキング４０２ａと、外接矩形領域パターン４０３と、外接矩形領域パターン４０３に対応する編集領域４０４と、精度優先領域パターン４０５と、精度優先領域パターン４０５に対応する編集領域４０６とを示す。マーキング４０２ａの線幅には、例えば、細線と太線とがある。文字列４０２に右肩下がりの斜め方向に細線でマーキング４０２ａが施された場合は、外接矩形領域パターン４０３が決定される。文字列４０２に右肩下がりの斜め方向に太線でマーキング４０２ａが施された場合は、精度優先領域パターン４０５が決定される。なお、線幅４０２Ｗが予め規定した閾値未満の場合に「細線」と判定し、線幅４０２Ｗが閾値以上の場合に「太線」と判定してもよい。
【００３９】
図５は、マーキングの態様と複数の領域パターンとの対応関係を模式的に示す第３例である。
【００４０】
図５は、マーキングの態様５０１と、文字列４０２と、マーキング５０２ａと、マーキング５０２ｂと、外接矩形領域パターン５０３と、外接矩形領域パターン５０３に対応する編集領域５０４と、精度優先領域パターン５０５と、精度優先領域パターン５０５に対応する編集領域５０６とを示す。マーキング５０２ａは、右肩下がりの斜め方向のマーキングである。マーキング５０２ｂは、右肩上がりの斜め方向のマーキングである。文字列４０２にマーキング５０２ａが施された場合は、外接矩形領域パターン５０３が決定される。文字列４０２にマーキング５０２ｂが施された場合は、精度優先領域パターン５０５が決定される。
【００４１】
さらに、図５に示すように、マーキング画像５０２ａの始端５０２ａ１とマーキング画像５０２ｂの始端５０２ｂ１とに着目して、外接矩形領域パターン５０３又は精度優先領域パターン５０５を決定するように、領域パターン決定部３２を構成してもよい。例えば、マーキング画像５０２ａの始端５０２ａ１が右肩下がりの斜め方向を示す場合は、外接矩形領域パターン５０３を決定し、マーキング画像５０２ｂの始端５０２ｂ１が右肩上がりの斜め方向を示す場合は、精度優先領域パターン５０５を決定する。
【００４２】
次に、図６及び図７を参照して、本実施形態に係る領域パターンを設定する方法と編集領域を決定する方法とについて説明する。図６は、本実施形態に係る領域パターン設定画面の一例を示す図である。
【００４３】
図６は、領域パターン設定画面６００を示す。領域パターン設定画面６００は、プレビュー画面６０１と、詳細設定画面６０４と、設定ボタン６１３とを有する。プレビュー画面６０１には、編集対象画像６０２が表示される。編集対象画像６０２には、原稿Ｍに施されたマーキングに基づいて決定された領域パターンに対応する編集領域（例えば、編集領域３０６）が示される。
【００４４】
詳細設定画面６０４は、外接矩形設定欄６０５と、精度優先設定欄６０９とを有する。外接矩形設定欄６０５は、外接矩形領域パターンを選択するための条件を設定する。外接矩形設定欄６０５には、マーカーイエロー６０６と、細線６０７と、２重括弧６０８とを含む。精度優先設定欄６０９は、精度優先領域パターンを選択するための条件を設定する。精度優先設定欄６０９には、マーカーピンク６１０と、太線６１１と、１重括弧ボタン６１２とを含む。マーカーイエロー６０６と、マーカーピンク６１０と、細線６０７と、太線６１１と、２重括弧６０８と、１重括弧６１２とは、例えば、プルダウンメニューで設定される。
【００４５】
ここで、「マーカーイエロー」は、原稿Ｍに施されたマーキングの色がイエローの場合に識別対象になることを示す。「マーカーピンク」は、原稿Ｍに施されたマーキングの色がピンクの場合に識別対象になることを示す。さらに、「２重括弧」は、原稿Ｍに施されたマーキングが、例えば“『”及び“』”の場合に識別対象になることを示す。また、１重括弧は、原稿Ｍに施されたマーキングが、例えば“「”及び“」”の場合に識別対象になることを示す。
【００４６】
ユーザーによって設定ボタン６１３が押下されると、外接矩形設定欄６０５及び精度優先設定欄６０９に設定された内容で、領域パターンが決定される。
【００４７】
図７は、本実施形態に係る編集領域を決定するための編集領域決定画面の一例を示す図である。図７に示すように、表示部１２２には、編集領域決定画面７００が表示される。編集領域決定画面７００は、プレビュー画面６０１と、確認メッセージ７０１と、Ｙｅｓボタン７０２と、Ｎｏボタン７０３とが表示される。なお、プレビュー画面６０１は、図６のプレビュー画面６０１と同じである。
【００４８】
確認メッセージ７０１は、プレビュー画面６０１に表示されている編集領域６０３について画像処理を実行するか否かを確認するためのメッセージである。編集領域決定画面７００で、Ｎｏボタン７０３が押下された場合は、図６の領域パターン設定画面６００で領域パターンを決定する条件を設定し直すか、編集対象画像の再読み込みを行う。
【００４９】
次に、図１〜図８を参照して、本実施形態の編集領域決定処理について説明する。図８は、本実施形態に係る編集領域決定処理のフローチャートである。図８に示すステップＳ１０２〜ステップＳ１２４の処理が実行されることによって、編集対象画像６０２の編集領域が決定される。
【００５０】
ステップＳ１０２：制御部３０は、編集対象画像を取得する。編集対象画像は、例えば、画像読取部１０によって原稿Ｍに形成された画像を読み取った画像である。あるいは、編集対象画像は、通信部５０を介して外部装置から受信した画像でもよい。処理は、ステップＳ１０４に進む。
【００５１】
ステップＳ１０４：制御部３０は、文字領域を特定する。処理は、ステップＳ１０６に進む。
【００５２】
ステップＳ１０６：制御部３０は、マーキング領域を特定する。処理は、ステップＳ１０８に進む。
【００５３】
ステップＳ１０８：制御部３０は、重複領域を特定する。処理は、ステップＳ１１０に進む。
【００５４】
ステップＳ１１０：算出部３４は、重複度を算出する。処理は、ステップＳ１１２に進む。
【００５５】
ステップＳ１１２：識別部３１は、マーキングを識別する。処理は、ステップＳ１１４に進む。
【００５６】
ステップＳ１１４：領域パターン決定部３２は、領域パターンを決定する。第１処理は、ステップＳ１１６に進む。
【００５７】
ステップＳ１１６：編集領域決定部３３は、編集領域を決定する。処理は、ステップＳ１１８に進む。
【００５８】
ステップＳ１１８：表示部１２２は、編集領域を表示する。処理は、ステップＳ１２０に進む。
【００５９】
ステップＳ１２０：編集領域決定部３３は、表示された編集領域を変更するか否かの指示をユーザーから受け付ける。表示された編集領域を変更しないと制御部３０が判定した場合は（ステップＳ１２０でＮｏ）、制御部３０は、編集領域決定処理を終了する。一方、表示された編集領域を変更すると制御部３０が判定した場合は（ステップＳ１２０でＹｅｓ）、処理は、Ｓ１２２に進む。
【００６０】
ステップＳ１２２：制御部３０は、ユーザーから変更されたマーキングが施された編集対象画像の取得及び／又はユーザーから変更された領域パターンを受け付けて、ステップＳ１０６に戻る。
【００６１】
以上のように、本実施形態の画像処理装置１００によれば、マーキングが施された原稿Ｍを読み込んで生成された画像（編集対象画像）に対して、ユーザーが所望する編集領域を容易に決定することができる。
【００６２】
（第２実施形態）
次に、図１〜図５、及び図９〜図１０を参照して、本実施形態の編集領域決定処理について説明する。本実施形態の編集領域決定処理は、プレビュー画面に表示されたプレビュー画像に対して、ユーザーから受け付けたマーキングを施し、このマーキングに基づいて編集領域を決定する点で、原稿Ｍに施されたマーキングに基づいて編集領域を決定する第１実施形態の編集領域決定処理と異なる。
【００６３】
図９は、本実施形態に係る編集領域決定画面の一例を示す図である。編集領域決定画面９００は、プレビュー画面６０１と、詳細決定画面９０２とを有する。プレビュー画面６０１には、プレビュー画像９０１が表示される。プレビュー画像９０１には、ユーザーの操作によって選択されたマーキングの画像（例えば、画像６０３ｂ）が表示される。
【００６４】
詳細決定画面９０２は、外接矩形設定欄６０５と、精度優先設定欄６０９と、編集領域表示ボタン９０３と、編集領域決定ボタン９０４とを有する。外接矩形設定欄６０５及び精度優先設定欄６０９は、図６における外接矩形設定欄６０５及び精度優先設定欄６０９と同じ構成である。編集領域表示ボタン９０３は、編集領域を表示させるためにユーザーから押下を受け付けるボタンである。編集領域決定ボタン９０４は、編集領域を決定させるためにユーザーから押下を受け付けるボタンである。
【００６５】
詳細決定画面９０２において、ユーザーから何れか１つが選択されると、例えば、強調表示に変わり、強調表示の内容でプレビュー画像９０１へのマーキングが可能になる。例えば、詳細決定画面９０２において、ユーザーが太線６１１を選択すると、ユーザーは、プレビュー画像９０１に対して、太線でマーキングが可能になる。
【００６６】
詳細決定画面９０２において、ユーザーから編集領域表示ボタン９０３を受け付けると、プレビュー画像９０１に編集領域（例えば、領域４０６）が重畳して表示される。編集領域は、ユーザーによって施されたマーキングのマーキング画像と領域パターンとに基づいて決定される。
【００６７】
詳細決定画面９０２において、ユーザーから編集領域決定ボタン９０４を受け付けると、編集領域（例えば、領域４０６）が決定される。
【００６８】
図１０は、本実施形態に係る編集領域決定処理のフローチャートである。図１０に示すステップＳ２０２〜ステップＳ２１２の処理が実行されることによって、プレビュー画像９０１の編集領域が決定される。
【００６９】
ステップＳ２０２：制御部３０は、プレビュー画像９０１を表示部１２２に表示する。プレビュー画像９０１は、例えば、通信部５０を介して外部装置から受信した画像等であり、第１実施形態の編集対象画像に相当する。処理は、ステップＳ２０４に進む。
【００７０】
ステップＳ２０４：制御部３０は、操作パネル１２０を介してユーザーからプレビュー画像９０１に対するマーキングを受け付ける。処理は、ステップＳ２０６に進む。
【００７１】
ステップＳ２０６：領域パターン決定部３２は、ユーザーから受け付けたマーキングのマーキング画像に基づいて、領域パターンを決定する。処理は、ステップＳ２０８に進む。
【００７２】
ステップＳ２０８：編集領域決定部３３は、マーキング画像と領域パターンとに基づいて、編集領域を決定する。処理は、ステップＳ２１０に進む。
【００７３】
ステップＳ２１０：制御部３０は、決定された編集領域を表示部１２２に表示する。処理は、ステップＳ２１２に進む。
【００７４】
ステップＳ２１２：編集領域決定部３３は、表示された編集領域を決定するか否かの指示をユーザーから受け付ける。編集領域を決定する指示を受け付けないと編集領域決定部３３が判定した場合は（ステップＳ２１２でＮｏ）、処理は、ステップＳ２０２に戻る。編集領域を決定する指示を受け付けたと編集領域決定部３３が判定した場合は（ステップＳ２１２でＹｅｓ）、本処理を終了する。
【００７５】
以上のように、本実施形態の画像処理装置１００によれば、プレビュー画面に表示された画像（プレビュー画像）に対して、ユーザーが所望する編集領域を容易に決定することができる。
【００７６】
以上、図面（図１〜図１０）を参照しながら本発明の実施形態を説明した。但し、本発明は、上記の実施形態に限られるものではなく、その要旨を逸脱しない範囲で種々の態様において実施することが可能である（例えば、下記に示す（１）〜（２））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【００７７】
（１）本発明の実施形態では、画像処理装置１００の一例として、複合機を用いて説明したが、画像処理装置１００は、複合機に限定されない。例えば、画像処理装置１００は、例えば、操作パネル１２０を備えるスキャナー、又は操作パネル１２０を備えるプリンターであってもよい。
【００７８】
（２）さらに、本発明の実施形態では、画像処理装置１００の一例として、スマートフォン又はタブレット端末であってもよい。
【００７９】
さらに、本発明は、本発明に係る画像処理装置の特徴的な構成手段をステップとする画像処理方法として実現したり、それらのステップを含む制御プログラムとして実現したりすることもできる。また、そのプログラムは、ＣＤ−ＲＯＭ等の記録媒体や通信ネットワーク等の伝送媒体を介して流通させることもできる。
【産業上の利用可能性】
【００８０】
本発明は、画像処理装置及び画像形成装置の分野に利用可能である。
【符号の説明】
【００８１】
３０    制御部
３１    識別部
３２    領域パターン決定部
３３    編集領域決定部
３４    算出部
３５    画像処理部
１００  画像処理装置
１２０  操作パネル
１２２  表示部
３０２，４０２    文字列画像
３０２ａ，４０２ａ    マーキング画像
６０２  編集対象画像
【図１】
2019208102.tif 000003
【図２】
2019208102.tif 000004
【図３】
2019208102.tif 000005
【図４】
2019208102.tif 000006
【図５】
2019208102.tif 000007
【図６】
2019208102.tif 000008
【図７】
2019208102.tif 000009
【図８】
2019208102.tif 000010
【図９】
2019208102.tif 000011
【図１０】
2019208102.tif 000012